(57)【特許請求の範囲】
【請求項１】
柱と梁からなる骨組を有した多層建築物において、１層または複数層おきに柱の間引き層を設定し、該柱の間引き層に隣接する１層または複数層の一方向に延在する前記柱と前記梁からなる骨組を、構面内に斜材を入れることで強化して、同骨組を１層または複数層分の梁背を有する巨大梁として構成すると共に、該巨大梁を建屋平面の少なくとも一方向に沿って配し、全層を通して垂直方向に延在する垂直構造体で支持したことを特徴とする多層建築物。
【請求項２】
前記巨大梁が建屋平面の一方向に沿ってのみ配されており、前記垂直構造体が、前記一方向と直交する建屋平面内の他方向に抗力を持つ壁状体として構築されていることを特徴とする請求項１記載の多層建築物。
【請求項３】
前記垂直構造体が建屋平面の両端に配置されていることを特徴とする請求項２記載の多層建築物。
【請求項４】
前記垂直構造体が、建屋平面の中央部に、閉断面を有した耐震コア部として構築されていることを特徴とする請求項１記載の多層建築物。
【発明の詳細な説明】
【０００１】
【発明の属する技術分野】
本発明は、いわゆるメガストラクチャ（スーパーストラクチャ）に分類される多層建築物に関する。
【０００２】
【従来の技術】
図８に示すように、従来一般の多層建築物１００では、垂直方向に延在する多数の柱１０２と、水平方向に延在する多数の梁１０３とにより骨組１０１が構成されており、各柱１０２は全層を通して垂直に連なっている。
【０００３】
【発明が解決しようとする課題】
ところで、上記従来の多層建築物１００では、多数の柱１０２の存在が、水平方向に広い自由空間を確保する際の妨げになっており、自由なプラン変更が難しいという問題があった。
【０００４】
本発明は、上記事情を考慮し、水平方向に広い自由空間を確保することのできる多層建築物を提供することを目的とする。
【０００５】
【課題を解決するための手段】
請求項１の発明は、柱と梁からなる骨組を有した多層建築物において、１層または複数層おきに柱の間引き層を設定し、該柱の間引き層に隣接する１層または複数層の一方向に延在する前記柱と前記梁からなる骨組を、構面内に斜材を入れることで強化して、同骨組を１層または複数層分の梁背を有する巨大梁として構成すると共に、該巨大梁を建屋平面の少なくとも一方向に沿って配し、全層を通して垂直方向に延在する垂直構造体で支持したことを特徴とする。
【０００６】
請求項２の発明は、請求項１において、前記巨大梁が建屋平面の一方向に沿ってのみ配されており、前記垂直構造体が、前記一方向と直交する建屋平面内の他方向に抗力を持つ壁状体として構築されていることを特徴とする。
【０００７】
請求項３の発明は、請求項２において、前記垂直構造体が建屋平面の両端に配置されていることを特徴とする。
【０００８】
請求項４の発明は、請求項１において、前記垂直構造体が、建屋平面の中央部に、閉断面を有した耐震コア部として構築されていることを特徴とする。
【０００９】
【発明の実施の形態】
以下、本発明の実施形態を図面に基づいて説明する。
図１は第１実施形態の多層建築物１の概略構成を示す。この多層建築物１は、柱６と梁７で構成された骨組を有している。この多層建築物１では、１層おきに通常本数の柱を有した一般層２と、通常本数より極端に柱の数を減らした自由空間層（柱の間引き層）３とを設けている。そして、自由空間層３に隣接する一般層２の骨組を、斜材８を入れることで強化して、同骨組を１層分の梁背を有する巨大トラス梁（メガストラクチャ梁）１０として構成し、この巨大トラス梁１０を、全層を通して垂直方向に延在する垂直構造体１１で支持している。
【００１０】
図２は一般層２の平面図（図１のＩＩ−ＩＩ矢視断面図）、図３は自由空間層３の平面図（図１のＩＩＩ−ＩＩＩ矢視断面図）、図４は図２のＩＶ−ＩＶ断面図である。図３に示すように、自由空間層３では、柱６が建屋平面の端部にしか存在しない。図２に示すように、柱６の並び方向の縦横方向をＸ方向、Ｙ方向とすると、巨大トラス梁１０は、建屋平面のＸ方向に沿ってのみ配されており、垂直構造体１１が、Ｙ方向に抗力を持つ壁状体として建屋平面の両端に構築されている。
【００１１】
この多層建築物１では、図３に示すように、自由空間層３に柱がほとんどないので、広い自由スペースを確保することができる。また、地震時のＸ方向の水平力に対しては、全体として、垂直構造体１１と巨大トラス梁１０からなる骨組（メガストラクチャフレーム）で抵抗し、Ｙ方向の水平力に対しては、両端の壁状の垂直構造体１１で抵抗する。
【００１２】
なお、本実施形態では、１層おきに一般層２と自由空間層３を設定したが、自由空間層３を複数層おきに設けてもよい。その場合は、複数層分の梁背を有する巨大トラス梁を構成すれば尚よい。
【００１３】
図５は本発明の第２実施形態の多層建築物２１を示す側面図、図６はその一般層２の平面図（図５のＶＩ−ＶＩ矢視断面図）、図７はその自由空間層３の平面図（図５のＶＩＩ−ＶＩＩ矢視断面図）である。この多層建築物２１では、垂直構造体として、建屋平面の中央部に、矩形状の閉断面を有した耐震コア部２２を設けている。また、巨大トラス梁１０をＹ方向についても構成し、自由空間層３では建屋平面の外周にのみ柱６を設けている。それ以外は前記実施形態と同様である。
【００１４】
この多層建築物２１でも、図７に示すように、自由空間層３に柱をほとんど設けないので、水平方向に広いスペースを確保することができる。また、地震時の水平力に対しては、Ｘ方向及びＹ方向共、巨大トラス梁１０と耐震コア部２２とで抵抗する。
【００１５】
なお、垂直構造体は、巨大トラス梁１０を確実に支持することができ、且つ自由空間層３のスペース確保の障害にならない位置であれば、どの位置に設けてもよい。
【００１６】
【発明の効果】
以上説明したように、請求項１の発明によれば、一方向に延在する柱と梁からなる骨組に斜材を入れて構成し、１層または複数層分の梁背を有する巨大トラス梁である巨大梁を建屋平面の少なくとも一方向に沿って設けることで、柱の間引き層を設定しているので、柱の間引き層に、水平方向に広い自由空間を確保することができ、当該層で自由なプラン変更を行うことができるようになる。その際、巨大梁を支持する垂直構造体の形状や配置は請求項２〜４の発明のように任意に決めることができる。
【図面の簡単な説明】
【図１】本発明の第１実施形態の多層建築物の概略構成を示す側面図である。
【図２】図１のＩＩ−ＩＩ矢視断面図である。
【図３】図１のＩＩＩ−ＩＩＩ矢視断面図である。
【図４】図２のＩＶ−ＩＶ矢視断面図である。
【図５】本発明の第２実施形態の多層建築物の概略構成を示す側面図である。
【図６】図５のＶＩ−ＶＩ矢視断面図である。
【図７】図５のＶＩＩ−ＶＩＩ矢視断面図である。
【図８】従来の多層建築物の概略構成を示す側面図である。
【符号の説明】
１  多層建築物
３  自由空間層（柱の間引き層）
６  柱
７  梁
１０  巨大トラス梁
１１  垂直構造体
２２  耐震コア部
【図１】
0003567395.tif 000002
【図２】
0003567395.tif 000003
【図３】
0003567395.tif 000004
【図４】
0003567395.tif 000005
【図５】
0003567395.tif 000006
【図６】
0003567395.tif 000007
【図７】
0003567395.tif 000008
【図８】
0003567395.tif 000009